(57)【要約】  【課題】  ある部分では短いブラシ毛が集中し、ある部分では長いブラシ毛が集中することによりまだらになったり、逆に短いブラシ毛がまだらになったりする。そのため、塗布液の付着が均一でなくなり、ある部分では、たっぷりと保液されるが、他の部分では保液が少なく、まつ毛に均一に塗布することが困難になる。  【解決手段】  ブラシ毛を金属製の芯線間にこれと交差状に配し、芯線をらせん状に巻回することにより塗布ブラシを形成したマスカラ用塗布ブラシにおいて、その塗布ブラシが、断面が円形のストレートな筆毛と断面が異形のストレートな筆毛とを所要の割合で混毛させたマスカラ用塗布ブラシ。【選択図】  図１
2006280597.tif 000002
【特許請求の範囲】
【請求項１】
ブラシ毛を金属製の芯線間にこれと交差状に配し、芯線をらせん状に巻回することにより塗布ブラシを形成したマスカラ用塗布ブラシにおいて、その塗布ブラシが、断面が円形のストレートな筆毛と断面が異形のストレートな筆毛とを所要の割合で混毛させてことを特徴とするマスカラ用塗布ブラシ。
【請求項２】
断面が円形のストレートな筆毛の屈曲復元性が５０〜８５％、断面が異形のストレートな筆毛の屈曲復元性が５０〜８０％である請求項1記載記載のマスカラ用塗布ブラシ。
【請求項３】
前記断面が異形のストレートな筆毛が３０〜７０重量％である請求項２記載のマスカラ用塗布ブラシ。
【発明の詳細な説明】
【技術分野】
【０００１】
本発明は、マスカラ液をまつ毛に塗布するためにブラシ毛を芯線で螺旋状に束ねたマスカラ用塗布ブラシに関し、塗布時の塗布液（マスカラ液）の供給が良好で、安定したボリュームのある線が描けるマスカラ用塗布ブラシに関するものである。
【背景技術】
【０００２】
従来のまつ毛にマスカラ液を塗布するのに一般的に使われる塗布ブラシは、２本の金属線間にブラシ毛を金属線に対して交差状に挟み、金属線をらせん状に捻ることによりブラシ毛を巻き輪間に固定させたタイプの塗布ブラシが広く使用されている。その形状としては、各ブラシ毛群の端部により形成した外部包絡線は、円筒形、円筒円すい形又は円すい形の形状を持つものが一般的である。
このような構造では、マスカラ液を収容した容器に塗布ブラシを挿入して、マスカラ液に浸し、取り出したときに容器口部に設けられている拭取り部により塗布ブラシがしごかれ、粘稠のマスカラ液が塗布ブラシの付根付近の金属線部分に溜まってしまい、その結果、塗布ブラシの毛先への付着量が少なくなってしまう。そのため、マスカラ液をたっぷりと塗布ブラシに付着したつもりでも塗布に有効な量とはならず、まつ毛に塗布したしきにボリュームをつけることが難しく、無理に擦り付けようとすると、一様に付着されずまだらになったり、時には、何度も塗布ブラシを容器に挿入するなどしてマスカラ液の補充操作をしなければならなかった。
【発明の開示】
【発明が解決しようとする課題】
【０００３】
そこで、こうした不具合を改善するために、塗布ブラシのブラシ毛の断面積が大きなブラシ毛と相対的に断面積が小さなブラシ毛とを混在させ、かつ後者の融点を前者の融点よりも高いものとし、金属線の撚りにより固定した後、過熱することで部分的に溶融させ、長さが相対的に短く外端部に毛玉状のふくらみを形成したブラシ毛を混毛させた塗布ブラシが提案されている。
しかしながら、この構造では、２種類のブラシ毛の配列具合によって放射状のブラシ毛の長さがまちまちとなり、ある部分では短いブラシ毛が集中し、ある部分では長いブラシ毛が集中することによりまだらになったり、逆に短いブラシ毛がまだらになったりする。そのため、塗布液の付着が均一でなくなり、ある部分では、たっぷりと保液されるが、他の部分では保液が少なく、まつ毛に均一に塗布することが困難になる。そこで、これを避けるために製作時に２種類のブラシ毛の配列を精密に行う試作もなされたが、面倒で手間と時間がかかり、しかも、塗布ブラシの素体を作った後に、加熱手段による加熱工程を要するので工程が増し、コストが高くなるという問題が生じてしまった。さらに、この種の従来技術にあっては、ブラシ毛の形状が金属線にブラシ毛を配列した段階で決定されてしまうため、後には変更することは困難であり、仕様の自由度に乏しいという問題があった。つまり、無理に変更しようとブラシ毛に外力を加えてしまうと毛玉状のふくらみが取れてしまう危険性があるのである。
【０００４】
【特許文献１】特開平５−１９２２２６号公報(特許請求範囲)。
【課題を解決するための手段】
【０００５】
本発明は、断面形状の異なる相反する特性のものを適度に混毛させることによって、上記の問題を解決するものであり、塗布時の液含みが良好で、塗布ブラシをまつ毛に押し付けたときに、余分な塗布液を排除してくれるので安定した線が描けるマスカラ用塗布ブラシを提供することを目的とするものであり、その要旨を「ブラシ毛を金属製の芯線間にこれと交差状に配し、芯線をらせん状に巻回することにより塗布ブラシを形成したマスカラ用塗布ブラシにおいて、その塗布ブラシが、断面が円形のストレートな筆毛と断面が異形のストレートな筆毛とを均一に所要の割合で混毛させてことを特徴とするマスカラ用塗布ブラシ。」とする。
【発明の効果】
【０００６】
本発明は、ブラシ毛を金属製の心線間にこれと交差状に配し、心線をらせん状に巻き回することにより塗布ブラシを形成したマスカラ用塗布ブラシにおいて、その塗布ブラシが、断面が円形のストレートなブラシ毛と断面が異形のストレートなブラシ毛とを均一に混毛してなるので、断面が円形のストレートなブラシ毛がはみ出した余分な塗布液を整えてくれるので安定した線が描ける。又、断面が異形のストレートなブラシ毛が塗布液の供給を良好にするので、全体として、塗布時の塗布液供給が良好で、塗布ブラシを押し付けたときに余分な塗布液を整えるため、即ち、余分なマスカラ液を取り除いてまつ毛を真っ直ぐにしてくれるため、安定した線が描けるマスカラ用塗布ブラシが得られるものである。
【発明を実施するための最良の形態】
【０００７】
以下、添付図面に基づき本発明の実施例を説明する。図１は本発明によるマスカラ用塗布ブラシに適用した第1例を示している。参照符号１は摘み、２は摘み１と一体の軸、３は塗布ブラシ部である。前記塗布ブラシ部３は、所定のピッチで螺旋状に巻回された心線４と、該心線４の軸線と交差して放射状に伸びる多数のブラシ毛群５から構成されており、心線４の後部が前記軸２に圧入されている。又、ブラシ毛群５は、断面が円形のストレートなブラシ毛６と断面が異形のストレートなブラシ毛７を混毛して構成されている。
【０００８】
各ブラシ毛に使用している材質としては、ポリアミド(６，６―ナイロン、６―ナイロン、１２―ナイロン、６，１０―ナイロン、６，１２ナイロンなど)ポリエステル(ポリエチレンテレフタレート、ポリブチレンテレフタレート)などを用いることができるが、各ブラシ毛の材質は同一であっても異なっていても良い。
断面が円形のストレートなブラシ毛６は、市販品としてはタイネックスブラッシュフィラメント:Ｒｏｕｎｄタイプ０９００シリーズ(材質:ナイロン、米国デュポン社製)が上げられる。
断面が異形のストレートなブラシ毛７は、市販品としては、タイネックスブラッシュフィラメント:Ｑｕａｄｒｉｌｏｂａｌタイプ０９２０シリーズ(材質:ナイロン、断面形状:クローバー状、米国デュポン社製)、タイネックスブラッシュフィラメント０９６０シリーズ(材質:ナイロン、断面形状:シーホース型、米国デュポン社製)、タイネックスブラッシュフィラメント:Ｈｏｌｌｏｗタイプ０９５０シリーズ(材質:ナイロン、断面形状:ドーナツ状、米国デュポン社製)などが例示できる。
尚、断面異形形状とは、ブラシ毛の軸方向に垂直な面の形状が円形以外のものであり、上記市販品として例示したように、略十字状、略三角形状、略Ｙ字状、クローバー状や半円状、矩形状のものがあり、特に断面が略十字状といった放射状形状のものの方が半円形、矩形状のものより顕著な効果を示すので好ましい。
【０００９】
ブラシ毛の屈曲復元性の数値は、1本のブラシ毛をリング状に結び、もう1本のブラシ毛を前記ブラシ毛のリング状の中に通してからリング状にしたのち、後者のブラシ毛を５００ｇの荷重で引っ張った。その後者のブラシ毛が直線状に戻ろうとする最初の角度を百分率（％；パーセント）で示したものである。勿論、数秒程度でブラシ毛は元の状態に復帰する。
【００１０】
断面が円形のストレートなブラシ毛６を使用する目的は、塗布時のはみ出した余分なマスカラ液を整えてくれる、つまり、余分なマスカラ液を取り除いてまつ毛を真っ直ぐにしてくれるので安定した線を描くために使用するものである。又、ブラシ毛群５に占める割合としては、断面が円形のストレートなブラシ毛６は、３０〜７０重量％が好ましい。その理由は、３０重量％に満たないと塗布時にマスカラ液が付き過ぎて余分なマスカラ液を排除しきれず、安定した線が描けず、その結果、きれいな仕上がりが得られなくなってしまうからである。また、８０重量％を超えるとマスカラ液の保持性が悪くなり、マスカラ液の補充が多くなりボリュームのある仕上がりにならないからである。尚、ブラシ毛６の屈曲復元性としては、５０〜８５％程度が好ましい。その理由は、ブラシ毛６の屈曲復元性が５０％に満たないと腰が安定しにくく腰くだけすることがあり、屈曲復元性が８５％を超えると塗布時のタッチがハードになり使用感が悪くなるからである。
【００１１】
断面が異形のストレートなブラシ毛７を使用する目的は、塗布時のマスカラ液を保持させると共に、１回の塗布操作でボリュームのある線が描けるために使用するものである。具体的に説明すると、マスカラ液を塗布することによって、まつ毛を太くすると共に長くするために使用するものである。又、ブラシ毛群５に占める割合としては、断面が異形のストレートなブラシ毛７は、３０〜７０重量％が好ましい。その理由は、ブラシ毛７が３０重量％に満たないと塗布時における塗布液の保持性が悪くなりボリュームある仕上がりにならないからである。また、ブラシ毛７が７０重量％を超えるとマスカラ液の保持性は良いが、ブラシ毛の断面が異形であるため、そのブラシ毛の向きが一定せずブラシ毛間における空間にバラツキが発生してしまい、その結果、ブラシ毛が広がったり、バラケて塗布時に均一な塗布が得られないからである。尚、ブラシ毛７の屈曲復元性としては、５０〜８０％程度が好ましい。その理由は、ブラシ毛７の屈曲復元性が５０％に満たないと腰が安定しにくく、腰くだけすると共に、空間率が小さくなり、マスカラ液の保持性が低下し、屈曲復元性が８０％を超えると空間率が大きくなりすぎて、ブラシ部が広がったりバラケたりするからである。
【００１２】
発明のブラシ毛群を製造するに当たっては、上記２種類のブラシ毛を少なくとも混毛し、ブラシ毛群となす訳であるが、混毛されたブラシ毛群は、断面が異なるブラシ毛６、７とがお互いに均一な状態で配列されていることが好ましい。
【００１３】
実施例
以下、本発明の実施例を図面を参照して説明する。図２(ａ)において、断面形状が異なる２種類の剛毛フィラメントを所定の長さに裁断して、断面が円形のストレートなブラシ毛６と断面が異形のストレートなブラシ毛７とを所定の割合で混毛して、無作為に配列し、次いでブラシ毛の長さのほぼ中央部を心線４ａ、４ｂで挟持する。この場合、心線４ａ、４ｂは１本の心線４を折曲げて形成したものであってよい。
【００１４】
図２（ｂ）に示すように、心線４ａ、４ｂを捩り合わせると、ブラシ毛群５は、心線４ａ、４ｂの形成する螺旋パターンに従って心線４ａ、４ｂに固定され、外形がほぼ円柱状の螺旋ループを描いてマスカラ用塗布ブラシ３が形成される。
図２(ｃ)に示すように、マスカラ用塗布ブラシ３の外形を形成しているブラシ毛の毛先を剪定して所要の形状に外形を整えて形成する。ブラシ毛群５は、断面が円形のストレートなブラシ毛６と断面が異形のストレートなブラシ毛７を用いるが、他の条件を表１に示す。
【００１５】
【表１】
2006280597.tif 000003
【００１６】
実施例１〜１１、比較例１〜１１
表２に実施例1〜１１、並びに、比較例１〜１１のブラシ毛群のブラシ毛の配合を示す。
【００１７】
【表２】
2006280597.tif 000004
【００１８】
上記実施例１〜１１および比較例１〜１１のマスカラ用ブラシ毛群を用いて図１のようなマスカラ用ブラシを形成し、塗布試験を行った。
【００１９】
塗布試験(モニター調査)
方法:任意に抽出したモニターに実際にマスカラ用塗布ブラシを使用してもらい、使用性についてのモニター調査を実施した。その調査結果を表３に示す。
【００２０】
【表３】
2006280597.tif 000005
【産業上の利用可能性】
【００２１】
本発明に係わるマスカラ用塗布ブラシは、断面が円形のストレートなブラシ毛と断面が異形のストレートなブラシ毛を少なくとも混毛してなるブラシであり、断面の異なる相反した特性のものを適度に組み合わせることによって、断面が円形のストレートなブラシ毛がはみ出した余分な塗布液を整えるので安定した線が得られ、また、断面が異形のストレートなブラシ毛が塗布液の含みを良好にするので、全体として、塗布時の塗布液の供給がを良好で、ブラシ部を押し付けたときに余分な塗布液を整えるため、安定したボリュームのある線が描けるマスカラ用塗布ブラシが得られるものである。
【図面の簡単な説明】
【００２２】
【図１】本発明に係わるマスカラ用ブラシの製造段階を説明する概略の側面図である。
【図２】（ａ）はブラシ毛を針金に挟持した状態を示す。  （ｂ）は針金を捩ってブラシ素材を形成した状態を示す。  （ｃ）は成形されたブラシ素材を示す。
【図３】本発明に係わるマスカラ用ブラシのブラシ毛の拡大模式図である。
【図４】本発明に係わるマスカラ用ブラシの断面が異形のストレートなブラシ毛の断面図である。
【図５】図４の変形例を示す図である。
【符号の説明】
【００２３】
１    摘み
２    摘み1と一体の軸
３    塗布ブラシ
４    心線
５    ブラシ毛群
６    断面が円形のストレートなブラシ毛
７    断面が異形のストレートなブラシ毛
【図１】
2006280597.tif 000006
【図２】
2006280597.tif 000007
【図３】
2006280597.tif 000008
【図４】
2006280597.tif 000009
【図５】
2006280597.tif 000010